(57)【特許請求の範囲】
【請求項１】
検査ステージ上に載置された液晶表示装置の複数の素子を、前記検査ステージの上方においてスライド移動するスキャンスライダの水平部材の下面に取り付けられた複数の検出素子からなるラインセンサでスキャンして、前記液晶表示装置の各素子の光量を計測し、当該液晶表示装置の各素子の輝度の良否判定を行うようにした液晶表示装置の品位検査装置において、反射型液晶表示装置を照明するための光源を、前記スキャンスライダの水平部材の側面かつ前記ラインセンサの取付け位置より上方に取り付け、当該光源が前記ラインセンサとともに移動して前記反射型液晶表示装置をその全長にわたってスキャンすることができ、かつ、前記光源からの直接光が前記ラインセンサに入射しないように構成してあることを特徴とする液晶表示装置の品位検査装置。
【発明の詳細な説明】
【０００１】
【発明の属する技術分野】
この発明は、液晶表示装置の品位を検査する装置に関する。
【０００２】
【従来の技術】
近年、ブラウン管に代わる小型かつ軽量の表示装置として、液晶表示装置（ＬＣＤ）などの平面表示装置（ＦＰＤ）が注目されるに至っている。そして、このＦＰＤの表示部の輝度分布や画素欠陥の検査などＦＰＤの性能を含めた品位を検査する装置として、ＣＣＤアレイセンサなどよりなるラインセンサを検出器として用いた液晶表示装置の品位検査装置（以下、単に検査装置という）が開発され、この種の検査装置に関する出願も多数行われるに至っている。
【０００３】
ところで、従来のＬＣＤは、それ自身バックライト光源を備え、輝度の向上やコントラストの向上を実現していた。しかしながら、近時、省電力（省エネ）の観点から、それ自身光源を備えないところの反射型ＬＣＤが開発され、実用に供されるに至っている。この反射型ＬＣＤは、自然光や室内照明などの外光を利用し、ＬＣＤパネルに入射した光を効率よく反射させ、所定の輝度を確保できるように構成されている。
【０００４】
【発明が解決しようとする課題】
ところが、上記反射型ＬＣＤは、自然光や室内照明などの外光を必要とするため、真暗な状態では使用することができない。このため、検出器に外光が迷光となるような検査装置では、反射型ＬＣＤの検査を行うことは困難であった。
【０００５】
この発明は、上述の事柄に留意してなされたもので、その目的は、反射型ＬＣＤの検査を確実に行うことができる液晶表示装置の品位検査装置を提供することである。
【０００６】
【課題を解決するための手段】
上記目的を達成するため、この発明では、検査ステージ上に載置された液晶表示装置の複数の素子を、前記検査ステージの上方においてスライド移動するスキャンスライダの水平部材の下面に取り付けられた複数の検出素子からなるラインセンサでスキャンして、前記液晶表示装置の各素子の光量を計測し、当該液晶表示装置の各素子の輝度の良否判定を行うようにした液晶表示装置の品位検査装置において、反射型液晶表示装置を照明するための光源を、前記スキャンスライダの水平部材の側面かつ前記ラインセンサの取付け位置より上方に取り付け、当該光源が前記ラインセンサとともに移動して前記反射型液晶表示装置をその全長にわたってスキャンすることができ、かつ、前記光源からの直接光が前記ラインセンサに入射しないように構成している。
【０００７】
前記光源としては、市販の蛍光灯を用いることができる。
【０００８】
【発明の実施の形態】
発明の実施の形態を図面を参照しながら説明する。図１〜図３は、この発明の一つの実施の形態を示すものである。図１および図２において、１は検査対象の反射型ＬＣＤ２を載置するための検査ステージで、ベース３上に設置されており、次のように構成されている。すなわち、４は４つの枠材４ａ〜４ｄからなる平面視矩形状の枠体で、一つの枠材４ａは適宜の間隔をおいてベース３に立設された例えば２つの支持部材５によって枢支され、この枠材４ａに対向する他端側の枠材４ｂにはコロ６が突設され、このコロ６をモータ７によって両矢印Ａ（図１参照）で示す水平方向に進退させられる斜面部材８によって保持するように構成された水平機構９によって、両矢印Ｂ（図２参照）で示す方向に揺動するように保持されている。
【０００９】
１０は枠体４の枠材４ｃ，４ｄ間に掛け渡された保持部材１１に保持された回転機構で、この回転機構１０の上部に反射型ＬＣＤ２を着脱自在に載置するためのステージ本体１２が回動可能に保持されている。このステージ本体１２の表面には、反射型ＬＣＤ２の位置を固定するための複数の固定用部材１３が突設されている。
【００１０】
１４は上述のように構成された検査ステージ１のステージ本体１２上に載置された反射型ＬＣＤ２の上方にこれとは適宜の間隔をおいて設けられる検出器としてのラインセンサで、例えばＣＣＤアレイセンサよりなり、反射型ＬＣＤ２の全幅（図１において両矢印Ｘで示す方向の長さ）よりやや長く、次のように保持されている。すなわち、１５は枠体４の枠材４ｃ，４ｄに沿って（図１において両矢印Ｙで示す方向）左右一対のレール１６（一方のレール１６は図示してない）上をモータ（図示してない）によってスライド移動するスキャンスライダで、下端に摺動部１７（一方の摺動部１７は図示してない）をそれぞれ有する垂直な２本の支柱１８とこれら支柱１８にそれぞれ設けられた上下機構１９によって上下方向に移動できるように構成され、２本の支柱１８間を連結するように保持された水平部材２０とからなる。
【００１１】
前記ラインセンサ１４は、上述のように構成されたスキャンスライダ１５の水平部材２０の下面に取り付けられており、反射型ＬＣＤ２の全長（両矢印Ｙで示す方向）にわたってスキャンできるように構成されている。２１は超音波変位センサで、スキャンスライダ１５の水平部材２０に両矢印Ｘ方向に摺動するように設けられた取り付け部材２２に取り付けられており、ステージ本体１２上に載置された反射型ＬＣＤ２とラインセンサ１４との距離を測定するものである。
【００１２】
そして、２３はステージ本体上に載置された反射型ＬＣＤ２を照明するための光源で、例えば反射型ＬＣＤ２の全幅よりやや長い蛍光灯よりなり、その光がラインセンサ１４に直接入射しないように、スキャンスライダ１５の水平部材２０の側面かつやや上方位置に取り付けられている。つまり、この実施の形態におけるＬＣＤ照明光源２３は、ラインセンサ１４とともにステージ本体１２上に載置された反射型ＬＣＤ２をその全長にわたってスキャンできるように構成されている。
【００１３】
図３は、この発明の検査装置の全体構成を概略的に示すもので、この図において、２４はＬＣＤ点灯制御回路、２５はＬＣＤ点灯制御回路２４およびＬＣＤ照明光源２３に対して指令信号を出力する点灯制御ボードである。そして、２６は水平機構９、回転機構１０およびスキャンスライダ１５に対して所定の指令信号を出力するモータ制御ボードである。２７はセンサ信号前処理ボードで、ラインセンサ１４からの信号を前処理して第１、第２コンピュータ２８，２９に出力するものである。
【００１４】
前記第１、第２コンピュータ２８，２９は互いに信号線で接続されており、第１コンピュータ２８は、主として前記各ボード２５，２６，２７に制御信号を送出したり、センサ信号前処理ボード２７からの信号を取り込んだりする。また、第２コンピュータ２９は、第１コンピュータ２８から送られてくる信号を処理したり、センサ信号前処理ボード２７からの信号を取り込んで処理したりする。このように、２つのコンピュータ２８，２９によって並列処理することにより、スループットが向上する。
【００１５】
上記構成の検査装置によって反射型ＬＣＤ２を検査する場合、反射型ＬＣＤ２を検査ステージ本体１２上に載置し、点灯制御ボード２５からの指令によってＬＣＤ照明光源２３を点灯させる。このとき、ＬＣＤ点灯制御回路２４は動作させない。
【００１６】
前記ＬＣＤ照明光源２３を点灯させた状態でスキャンスライダ１５を反射型ＬＣＤ２の長さ方向に沿って移動させると、反射型ＬＣＤ２がＬＣＤ照明光源２３の照明によって順次照らされ、反射型ＬＣＤ２に入射した光は順次反射されて、その反射光がラインセンサ１４に入射する。この場合、ＬＣＤ照明光源２３は、ラインセンサ１４が取り付けられているスキャンスライダ１５の水平部材２０の側面かつラインセンサ１４の取付け位置より上方に取り付けられているので、ラインセンサ１４にはＬＣＤ照明光源２３からの直接光など迷光が入射することがなく、ラインセンサ１４においては反射型ＬＣＤ２の輝度のみを検出することができる。
【００１７】
また、上記検査装置によって反射型ＬＣＤ２以外のＬＣＤを検査する場合は、ＬＣＤを検査ステージ本体１２上に載置し、ＬＣＤ点灯制御回路２４を動作させ、ＬＣＤ照明光源２３は点灯しない。そして、スキャンスライダ１５を反射型ＬＣＤ２の長さ方向に沿って移動させて、ラインセンサ１４によってＬＣＤの輝度を検出するのである。
【００１８】
【００１９】
【発明の効果】
この発明の検査装置によれば、反射型ＬＣＤの検査は勿論のこと、反射型ＬＣＤ以外の検査を、外光など迷光の影響を受けることなく、確実に行うことができる。
【図面の簡単な説明】
【図１】  この発明の検査装置の要部の構成を示す斜視図である。
【図２】  前記要部の側面図である。
【図３】  前記検査装置の全体構成を概略的に示す図である。
【符号の説明】
１…検査ステージ、２…反射型液晶表示装置、１４…ラインセンサ、１５…スキャンスライダ、２０…水平部材、２３…反射型液晶表示装置照明光源。
【図１】
0004150781.tif 000002
【図２】
0004150781.tif 000003
【図３】
0004150781.tif 000004